(57)【要約】【課題】簡易な機構で、扉が開いてしまうのを防げる門扉を提供する。【解決手段】門扉１０は、戸１２と、支柱１４と、柱１６とを備える。戸１２は、閂（かんぬき）２６を備え、前後に開閉する。また、戸１２は、上下に隙間２８ができるように並べられた複数の横板２０を備える。支柱１４は、戸１２を支持し、戸１２の開閉に伴って回転する。柱１６は、戸１２を閉めたときに、ストッパー１９に接触する戸当たり５０を備える。閂２６は、隙間２８に設けられると共に、隙間２８に沿って横方向に移動できる横棒３０を備える。隙間２８および横棒３０は、複数設けられる。門扉１０は、戸１２を閉めたときに、縦棒４０とストッパー１９で、戸当たり５０を前後から挟める。【選択図】図１
0003184015.tif 000002
【実用新案登録請求の範囲】
【請求項１】
閂を備えると共に、前後に開閉する戸と、
前記戸を支持し、前記戸の開閉に伴って回転する支柱と、
前記戸を閉めたときに、前記戸に接触する戸当たりを備える柱と、
を有し、
前記戸を閉めたときに、前記閂と前記戸で、前記戸当たりを前後から挟める門扉であって、
前記戸は、上下に隙間ができるように並べられた複数の横板を備え、
前記閂は、前記隙間に設けられると共に、前記隙間に沿って横方向に移動できる横棒を備える門扉。
【請求項２】
請求項１において、
前記隙間および前記横棒が複数設けられる門扉。
【請求項３】
請求項２において、
前記閂は、前記複数の横棒に渡って設けられた縦棒を備え、
前記縦棒と前記戸で、前記戸当たりを前後から挟める門扉。
【請求項４】
請求項１から３のいずれかにおいて、
前記戸の前側と後側には、前記横棒を横方向に移動させるときに持つ取っ手がそれぞれ設けられている門扉。
【考案の詳細な説明】
【技術分野】
【０００１】
本考案は、戸が勝手に開いてしまうのを防止する門扉に関するものである。
【背景技術】
【０００２】
支柱を回転軸とした回転式門扉がある。この回転式門扉は、回転可能な支柱と、この支柱に取り付けられた戸と、戸を閉めたときに、戸を挟んで支柱と反対側にある柱とを備える。このような回転式門扉では、風によって戸が開いてしまうことがある。戸が開いてしまうのを防ぐには、戸から出すことができる突起を、柱に設けられた穴に嵌め込む機構が知られている。しかしながら、突起によって戸を柱に固定した場合、強風によって突起が戸に戻ったり、突起が壊れたりするおそれがある。
【考案の概要】
【考案が解決しようとする課題】
【０００３】
本考案はこのような事情に鑑みてなされたものであり、簡易な機構にもかかわらず、戸が開いてしまうのを防げる門扉を提供することを目的とする。
【課題を解決するための手段】
【０００４】
本考案の門扉は、閂を備えると共に、前後に開閉する戸と、戸を支持し、戸の開閉に伴って回転する支柱と、戸を閉めたときに、戸に接触する戸当たりを備える柱と、を有し、戸を閉めたときに、閂と戸で、戸当たりを前後から挟める門扉であって、戸は、上下に隙間ができるように並べられた複数の横板を備え、閂は、隙間に設けられると共に、隙間に沿って横方向に移動できる横棒を備える。
【０００５】
本考案の門扉において、隙間および横棒が複数設けられていてもよい。また、本考案の門扉において、閂は、複数の横棒に渡って設けられた縦棒を備え、縦棒と戸で、戸当たりを前後から挟めることが好ましい。本考案の門扉において、戸の前側と後側には、横棒を横方向に移動させるときに持つ取っ手がそれぞれ設けられていることが好ましい。
【考案の効果】
【０００６】
本考案によれば、簡易な機構で、門扉の戸が開いてしまうのを防げる。
【図面の簡単な説明】
【０００７】
【図１】本考案の実施形態に係る門扉のロックを解除した状態を示す正面図である。
【図２】本考案の実施形態に係る門扉のロックを解除した状態を示す背面図である。
【図３】本考案の実施形態に係る門扉のロックを解除した状態を示す部分平面図である。
【図４】図１に示す門扉のＡ−Ａ線部分断面図である。
【図５】本考案の実施形態に係る門扉をロックした状態を示す正面図である。
【図６】本考案の実施形態に係る門扉をロックした状態を示す背面図である。
【図７】本考案の実施形態に係る門扉をロックした状態を示す部分平面図である。
【図８】図５に示す門扉のＢ−Ｂ線部分断面図である。
【考案を実施するための形態】
【０００８】
以下、本考案の門扉について、図面を参照しながら実施形態に基づいて説明する。図面は、門扉、門扉を構成する部材、および門扉の周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係る門扉１０のロックを解除した状態を示す正面図である。図２は、門扉１０のロックを解除した状態を示す背面図である。図３は、門扉１０のロックを解除した状態を示す平面図で、左側の部分平面図である。図４は、図１に示す門扉１０のＡ−Ａ線断面図で、左側の部分断面図である。門扉１０は、戸１２と、支柱１４と、柱１６とを備える。戸１２は、支柱１４を回転軸として前後に開閉する。戸１２は、枠体１８と、横板２０と、縦板２２と、上板２４と、閂（かんぬき）２６とを備える。
【００１０】
枠体１８は金属、木材、樹脂等からなり、戸１２の後部を構成する。枠体１８は、底面が長方形の四角柱が組み合わされて構成され、上部の横枠１８Ｔと、横枠から吊り下げられた３本の縦枠１８Ｌ，１８Ｍ，１８Ｒとを有する。支柱１４に最も近い縦枠１８Ｒが支柱１４に取り付けられることによって、戸１２が支柱１４に支持される。また、柱１６に最も近い縦枠１８Ｌには、ストッパー１９が取り付けられている。ストッパー１９は後方から柱１６に接触して、戸１２が前方に開くのを妨げる。なお、ストッパー１９は、戸１２が後方に開くのを妨げない。
【００１１】
横板２０は金属、木材、樹脂等からなり、長方形の板形状を有する。横板２０は、上下に隙間２８ができるように複数並べられて、縦枠１８Ｌ，１８Ｍ，１８Ｒに固定されている。３本の縦板２２Ｌ，２２Ｍ，２２Ｒは金属、木材、樹脂等からなり、横板２０を介してそれぞれ縦枠１８Ｌ，１８Ｍ，１８Ｒの前方に設置され、横板２０に固定されている。上板２４は金属、木材、樹脂等からなり、横枠１８Ｔの上面と、最上段の横板２０の上面と、縦板２２Ｌ，２２Ｍ，２２Ｒの上面に固定されている。上板２４はストッパー１９の上面にも固定されていてもよい。すなわち横板２０は、縦枠１８Ｌ，１８Ｍ，１８Ｒと、縦板２２Ｌ，２２Ｍ，２２Ｒに挟まれて、隙間２８を形成しながら固定されている。戸１２を閉めた状態で、閂２６によって門扉１０をロックしたり、門扉１０のロックを解除したりする。
【００１２】
閂２６は、複数の横棒３０と、これらの横棒３０に渡って設けられた縦棒４０および取っ手４２，４４とを備える。横棒３０は隙間２８に設けられ、隙間２８に沿って横方向に移動できる。縦棒４０は、横棒３０と連動して横方向に移動する。取っ手４２は戸１２の前側に、取っ手４４は戸１２の後側にそれぞれ設けられている。このため、門扉１０の前方と後方のどちらからでも、閂２６が容易に動かせる。そして、取っ手４２または取っ手４４を横方向に移動することによって、横棒３０が隙間２８に沿って横方向に移動し、さらに縦棒４０も横方向に移動する。閂２６が門扉１０をロックする仕組みは後述する、
【００１３】
支柱１４は、下支柱部材４６と、上支柱部材４８とを備える。下支柱部材４６は下部が地中に固定され、上部が露出している。上支柱部材４８が回転できるように、上支柱部材４８は、下支柱部材４６に上方から嵌め込まれる。上支柱部材４８は戸１２を支持し、戸１２の開閉に伴って回転する。柱１６は、戸当たり５０を備える。戸当たり５０は、戸１２を閉めたときにストッパー１９と接触する。
【００１４】
図５は、本考案の実施形態に係る門扉１０をロックした状態を示す正面図である。図６は、門扉１０をロックした状態を示す背面図である。図７は、門扉１０をロックした状態を示す平面図で、左側の部分平面図である。図８は、図５に示す門扉１０のＢ−Ｂ線断面図で、左側の部分断面図である。閂２６が門扉１０をロックする仕組みは以下のとおりである。まず、戸１２を閉める。すると、ストッパー１９が戸当たり５０の後側に接触する。
【００１５】
つぎに、取っ手４２，４４の少なくとも一方を持って、柱１６に近づく方向に取っ手４２，４４移動させる。すると、横棒３０と縦棒４０も柱１６に近づき、縦棒４０が戸当たり５０の前側に突出する。すなわち、図３および図４に縦棒４０とストッパー１９とで、戸当たり５０を前後から挟める。このため、簡易な機構にも関わらず、門扉１０の戸１２が勝手に開いてしまうのを抑えられる。閂２６の動作を上記の逆にすれば、門扉１０のロックを解除できる。
【００１６】
戸１２の組み立て方法は以下のとおりである。まず、枠体１８の縦枠１８Ｌの左側面に、ストッパー１９をネジ止め等で取り付ける。つぎに、枠体１８の縦枠１８Ｌ，１８Ｍ，１８Ｒの前面に、隙間２８を設けながら横板２０をネジ止め等で取り付ける。そして、横棒３０を隙間２８に嵌め込むようにして、取っ手４４以外を予め組み立てておいた閂２６を、横板２０と縦枠１８Ｌ，１８Ｍ，１８Ｒに装着する。
【００１７】
つぎに、枠体１８に取り付けられた横板２０の前面に、縦板２２Ｌ，２２Ｍ，２２Ｒをネジ止め等で取り付ける。このとき、横棒３０は、隙間２８に沿って横方向に移動できるように、上下が横板２０で、前が縦板２２Ｌで、後ろが縦枠１８Ｌで挟まれている。そして、戸１２の後側から、横棒３０の端部に渡って取っ手４４をネジ止め等で取り付ける。つぎに、横枠１８Ｔの上面と、最上段の横板２０の上面と、縦板２２Ｌ，２２Ｍ，２２Ｒの上面に、上板２４をネジ止め等で取り付ける。最後に、枠体１８の縦枠１８Ｒの右側面と上支柱部材４８の左側面とをネジ止め等で連結する。
【００１８】
以上、実施形態に基づいて本考案の門扉を説明したが、本考案の門扉は上記実施形態に限定されない。例えば、上記実施形態では横板の隙間と横棒が複数設けられているが、横板の隙間や横棒が１つだけ設けられていてもよい。また、上記実施形態では横棒がすべての横板の隙間に設けられているが、横棒が一部の隙間に設けられていてもよい。また、上記実施形態では縦棒と戸で戸当たりを前後から挟んでいるが、縦棒を設けずに、横棒と戸で戸当たりを前後から挟んでもよい。また、上記実施形態では柱が独立した戸当たりを備えているが、柱に独立した戸当たりを設けず、柱の本体またはその一部を戸当たりとして機能させてもよい。また、本考案の門扉は、左開き、右開き、前開き、および後開きに関係なく適用できる。
【符号の説明】
【００１９】
１０  門扉
１２  戸
１４  支柱
１６  柱
１８  枠体
１８Ｔ  横枠
１８Ｌ，１８Ｍ，１８Ｒ  縦枠
１９  ストッパー
２０  横板
２２Ｌ，２２Ｍ，２２Ｒ  縦板
２４  上板
２６  閂（かんぬき）
２８  隙間
３０  横棒
４０  縦棒
４２，４４  取っ手
４６  下支柱部材
４８  上支柱部材
５０  戸当たり
【図１】
0003184015.tif 000003
【図２】
0003184015.tif 000004
【図３】
0003184015.tif 000005
【図４】
0003184015.tif 000006
【図５】
0003184015.tif 000007
【図６】
0003184015.tif 000008
【図７】
0003184015.tif 000009
【図８】
0003184015.tif 000010